(57)【要約】【課題】水密に収納された電子機器を衝撃等から保護し、使用が容易でコンパクトな構成のタッチパネル式モニタを有する電子機器用の防水ケースを提供する。【解決手段】二つ折可能に形成された透明プラスチックシートにより形成され電子機器を膨出凹部に収納保持するブリスタケースと、ブリスタケースの外縁部を挟み込む溝を有する保持フレームとを備える電子機器用の防水ケースであって、電子機器のタッチパネル式モニタの面に対向する位置の膨出凹部には操作面が設けられ、ブリスタケースの外側から操作面を介してタッチパネル式モニタを操作可能とすることにより、耐衝撃性に優れ、操作性が良好でコンパクトな構成の防水ケースが得られる。【選択図】図２
2013156336.tif 000002
【特許請求の範囲】
【請求項１】
タッチパネル式モニタを有する電子機器に用いられる防水ケースにおいて、
一枚の透明プラスチックシートから形成され、折れ線部により二つ折可能に連接した重合面内に設けられた膨出凹部と、前記膨出凹部の周囲の輪郭が互いに重なる外縁部とを備え、開放状態では前記電子機器が前記膨出凹部に着脱自在に装着され、収納状態では前記電子機器を前記膨出凹部内に保持するブリスタケースと、
前記ブリスタケースの外周を取り囲み、前記外縁部を保持溝で挟み込むことにより前記ブリスタケース内の前記電子機器を水密に収納する保持フレームとを備え、
収納された前記電子機器のタッチパネル式モニタの面に対向する前記ブリスタケースの位置には操作面が設けられ、前記タッチパネル式モニタを前記ブリスタケースの外側から前記操作面を介してタッチ操作可能に構成されている
ことを特徴とする電子機器用の防水ケース。
【請求項２】
前記保持フレームは開口端により開閉自在に構成され、前記開口端を閉じた状態でロックするロック部を有する
ことを特徴とする請求項１記載の電子機器用の防水ケース。
【請求項３】
前記保持フレームは、前記開口端を閉じたときに、前記開口端の両端それぞれの近傍に互いに貫通する第１の貫通穴が設けられている
ことを特徴とする請求項２記載の電子機器用の防水ケース。
【請求項４】
前記ブリスタケースの外縁部に互いに貫通する第２の貫通穴を備え、
前記保持フレームの開口端を閉じたとき、前記第１の貫通穴と前記第２の貫通穴は互いに貫通する
ことを特徴とする請求項３記載の電子機器用の防水ケース。
【請求項５】
前記外縁部の少なくとも一方の内面には無端状のパッキンが配設されている
ことを特徴とする請求項１乃至４記載の電子機器用の防水ケース。
【請求項６】
前記電子機器は撮影カメラ用レンズを有し、前記撮影カメラ用レンズの面に対向する前記ブリスタケースの位置にはレンズカバー面が設けられ、前記レンズカバー面の周囲には外側に膨出する膨出部が設けられている
ことを特徴とする請求項１乃至４記載の電子機器用の防水ケース。
【発明の詳細な説明】
【技術分野】
【０００１】
本発明は電子機器用の防水ケースに関し、より詳細にはタッチパネル式モニタを有する電子機器用の防水ケースに関する。
【背景技術】
【０００２】
従来より、情報や撮影画像を表示するモニタに各種操作を行うためのタッチパネルを配したタッチパネル式モニタを備えた携帯電話やＰＤＡ（Ｐｅｒｓｏｎａｌ  Ｄｉｇｉｔａｌ  Ａｓｓｉｓｔａｎｔ：携帯情報端末）、デジタルカメラ、携帯用ゲーム機等の電子機器が提供されている。また近年、電子機器として、携帯電話にパソコンやＰＤＡの機能が備わったスマートフォンと呼ばれる携帯端末や、画面を直接触って操作するタブレット端末と呼ばれる薄い板状のコンピュータ端末が急速に普及している。
【０００３】
これらの電子機器に使用されるタッチパネルには、感圧式のものと、静電容量式のもの等ある。従来は、安価な感圧式のものが主流であったが、現在では、スマートフォン等において、静電容量式のものが、数多く採用されるようになってきている。
【０００４】
また、これらの電子機器では、簡易防水機能を有しているものも、多く提供されている。しかしながら、家庭内の風呂場での電子機器の使用や、アウトドアや海辺での使用では、水を被ったり、水没したりすることがある。また、電子機器を硬いものにぶつけて、電子機器の表面に傷を付けたり衝撃がかかったりすることがある。このようなことから電子機器を保護し、しかもコンパクトな形状の、防水ケースが望まれてきている。
【０００５】
従来のこれらの電子機器用の防水ケースとして、特許文献１にて開示されたものがある。この防水ケースは、剛性のある樹脂材料を用いたケース体の一部に可撓性の透明または光透過性のシート材を張ったものである。防水ケースに収容した電子機器のタッチパネル式液晶モニタや操作部について、シート材の外側から使用することができる。また、ケース体によって、電子機器を衝撃等から保護することができる。
【０００６】
また、これらの電子機器用の防水ケースとして、特許文献２にて開示されたものがある。この防水ケースは、電子機器の形状に合わせてシリコンゴムで一体成型された保護カバーである。保護カバーの背面に開口部を有し、この開口部から電子機器を挿入し、保護カバーにより電子機器を全体的に覆い、次にこの開口部にキャップを嵌めて密閉することで水密な状態にする構成である。防水ケースに収用した電子機器の操作ボタンや液晶画面について、保護カバーの外側から使用することができる。また、防水ケースをコンパクトな形状とすることができる。
【先行技術文献】
【特許文献】
【０００７】
【特許文献１】特開２００６−２４２９９６号公報
【特許文献２】特開２００７−１５９７１６号公報
【発明の概要】
【発明が解決しようとする課題】
【０００８】
しかしながら、特許文献１に記載の技術では、シート材を張ったケース本体と蓋体等とから構成され、部品点数が多く複雑な構造となるという不都合があった。
また、電子機器を樹脂製のケース体の内部に保持する構成のため、防水ケースの外形が大きなものとなり、携帯性が悪くなるという不都合があった。
【０００９】
また、特許文献２に記載の技術では、使用時に電子機器全体をシリコンゴムの防水カバーで覆う構成であるため、衝撃等が加わった際には、防水カバーによって電子機器が十分に保護されないという不都合があった。
【００１０】
本発明の目的は、簡単でコンパクトな構成でありながら水密性に優れ、電子機器を衝撃等から保護し、使用が容易なタッチパネル式モニタを有する電子機器用の防水ケースを提供することにある。
【課題を解決するための手段】
【００１１】
本発明は、上記の課題を解決するために、以下の構成を採用した。
【００１２】
本発明は、タッチパネル式モニタを有する電子機器に用いられる防水ケースに関する。
そして、この防水ケースは、一枚の透明プラスチックシートから形成され、折れ線部により二つ折可能に連接した重合面内に設けられた膨出凹部と、膨出凹部の周囲の輪郭が互いに重なる外縁部とを備え、開放状態では電子機器が膨出凹部に着脱自在に装着され、収納状態では電子機器を膨出凹部内に保持するブリスタケースと、ブリスタケースの外周を取り囲み、外縁部を保持溝で挟み込むことによりブリスタケース内の電子機器を水密に収納する保持フレームとを備え、収納された電子機器のタッチパネル式モニタの面に対向するブリスタケースの位置には操作面が設けられ、タッチパネル式モニタをブリスタケースの外側から操作面を介してタッチ操作可能に構成されていることを特徴とする。
【００１３】
また、保持フレームは開口端により開閉自在に構成され、開口端を閉じた状態でロックするロック部を有することを特徴とする。
【００１４】
また、保持フレームは、開口端を閉じたときに、開口端の両端それぞれの近傍に互いに貫通する第１の貫通穴が設けられていることを特徴とする。
【００１５】
ブリスタケースの外縁部に互いに貫通する第２の貫通穴を備え、保持フレームの開口端を閉じたとき、第１の貫通穴と第２の貫通穴は互いに貫通することを特徴とする。
【００１６】
また、外縁部の少なくとも一方の内面には無端状のパッキンが配設されていることを特徴とする。
【００１７】
そして、電子機器は撮影カメラ用レンズを有し、撮影カメラ用レンズの面に対向するブリスタケースの位置にはレンズカバー面が設けられ、レンズカバー面の周囲には外側に膨出する膨出部が設けられていることを特徴とする。
【発明の効果】
【００１８】
本発明によれば、上述の特徴を有することから、下記に示すことが可能となる。
【００１９】
タッチパネル式モニタを有する電子機器用に用いられる防水ケースにおいて、一枚の透明プラスチックシートから形成され、折れ線部により二つ折可能に連接した重合面内に設けられた膨出凹部と、膨出凹部の周囲の輪郭が互いに重なる外縁部とを備え、開放状態では電子機器が膨出凹部に着脱自在に装着され、収納状態では電子機器を膨出凹部内に保持するブリスタケースと、ブリスタケースの外周を取り囲み、外縁部を保持溝で挟み込むことによりブリスタケース内の電子機器を水密に収納する保持フレームとを備え、収納された電子機器のタッチパネル式モニタの面に対向するブリスタケースの位置には操作面が設けられ、タッチパネル式モニタをブリスタケースの外側から操作面を介してタッチ操作可能に構成されているので、簡単でコンパクトな構成でありながら、水密性に優れたものとなる。また、電子機器を衝撃から保護して、ブリスタケースの操作面を介してモニタの視認性良く、タッチ操作を快適に行うことができる。
【００２０】
また、保持フレームは開口端により開閉自在に構成され、開口端を閉じた状態でロックするロック部を有するので、電子機器を収納したブリスタケースを保持フレームにスムーズに着脱することが可能となり、ロック部において開閉端を確実に閉じた状態で保持することができる。
【００２１】
また、保持フレームは、開口端を閉じたときに、開口端の両端それぞれの近傍に互いに貫通する第１の貫通穴が設けられているので、この第１の貫通穴に首等から提げるための紐状のものや、リング状の留め具を差し込んで使用すれば、紐状のものや留め具が使用時に開口端が開き、保持フレームのロックが外れることを防ぐことが可能となり、開閉端をより確実に閉じた状態で保持することができる。
【００２２】
また、ブリスタケースの外縁部に互いに貫通する第２の貫通穴を備え、保持フレームの開口端を閉じたとき、第１の貫通穴と第２の貫通穴は互いに貫通するので、紐状のものや留め具を通したときの強度が上がり、防水ケースを確実に保持することができる。
【００２３】
また、外縁部の少なくとも一方の内面には無端状のパッキンが配設されているので、防水性能をより高めることができる。
【００２４】
そして、電子機器は撮影カメラ用レンズを有し、撮影カメラ用レンズの面に対向するブリスタケースの位置にはレンズカバー面が設けられ、レンズカバー面の周囲には外側に膨出する膨出部が設けられているので、レンズカバー面を擦って傷つけたりすることから保護することができる。
【図面の簡単な説明】
【００２５】
【図１】本発明の一実施形態に係る防水ケースに電子機器を装着する前の状態を示す斜視図
【図２】本発明の一実施形態に係る防水ケースに電子機器を装着している途中の状態を示す斜視図
【図３】本発明の一実施形態に係る防水ケースに電子機器を装着した状態を示す正面図
【図４】本発明の一実施形態に関連するスタンド補助具を示す図であり、（ａ）はスタンド補助具の詳細を示す斜視図、（ｂ）はスタンド補助具の使用時の状態を示す斜視図、（ｃ）はスタンド補助具の不使用時の状態を示す斜視図
【発明を実施するための形態】
【００２６】
以下、図面を参照して、本発明の実施形態について、詳細に説明する。
【００２７】
図１乃至図４を参照して、本発明の一実施形態について説明する。本実施形態では、防水ケース１に収容すべき電子機器は携帯端末１００（スマートフォン）である。
図１は、携帯端末１００を防水ケース１に収容する前の状態における、防水ケース１を構成するブリスタケース２と保持フレーム３、及び、携帯端末１００の前方から見た斜視図を示す。図２は、ブリスタケース２に収納した携帯端末１００を、保持フレーム３に取り付けている途中の状況における、前方から見た斜視図を示す。
【００２８】
図３（ａ）は、携帯端末１００を防水ケース１に収容した状態における、正面図を示し、図３（ｂ）に保持フレーム３に保持されたブリスタケース２の外縁部のＡ−Ａ線矢視方向の断面図、図３（ｃ）にブリスタケース２のレンズ保護構造のＢ−Ｂ線矢視方向の断面図を示す。図４は、防水ケース１に関連するアクセサリパーツであるスタンド２００について、図４（ａ）にスタンド２００の全体斜視図、図４（ｂ）にスタンド２００の使用状態の斜視図、図４（ｃ）にスタンド２００の収納状態の斜視図を示す。
【００２９】
まず、この防水ケース１に収納する携帯端末１００について説明する。
図１に示すように、本実施形態では、防水ケース１に収容すべき携帯端末１００はスマートフォンであり、外装を構成するケース１０１を有している。なお、本明細書の実施形態の記載において、電子機器に内蔵されたカメラにより撮影した映像等をモニタ画面を横長にして見ている状態で、前後方向、上下方向、左右方向を示し、モニタ画面のある面の方向を前（フロント）方向、その逆の方向を後（リア）方向と呼ぶことにする。
【００３０】
図１に示すように、ケース１０１は、横長の略矩形で扁平な形状をなし、フロント面１０１ａ、その対面である図示されないリア面１０１ｂ、およびフロント面１０１ａとリア面１０１ｂとを結ぶ上下左右の４つの側面１０１ｃを備えている。
フロント面１０１ａの中央部には矩形のタッチパネル式モニタ１０２が設けられ、右側にはタッチパネル式モニタ１０２の表示等を操作するための３つの操作ボタン１０３、左側には通話や音声再生用のスピーカ１０４が設けられている。
【００３１】
タッチパネル式モニタ１０２の表面は、フロント面１０１ａの表面と同一平面上にある。このタッチパネル式モニタ１０２のタッチパネルは静電容量式のものである。
３つの操作ボタン１０３は、上から戻り操作用、ホーム操作用、メニュー操作用である。
リア面１０１ｂの左側の上部には、撮影カメラ用レンズ１０５が設けられている。
【００３２】
この携帯端末１００では、タッチパネル式モニタ１０２を操作して、スピーカ１０４と図示されない通話用マイクとを用いて携帯電話として通話したりできる。タッチパネル式モニタ１０２に映像を映し出し、スピーカ１０４で音声を再生することにより、ビデオやテレビを見たりすることができる。また、タッチパネル式モニタ１０２を操作することにより、さまざまな情報を検索等したりすることができる。
【００３３】
次に、防水ケース１について説明する。防水ケース１はブリスタケース２と保持フレーム３とを備えている。
図１に示すように、ブリスタケース２は１枚のＰＥＴ（ポリエチレン・テレフタレート）樹脂からなる透明プラスチックシートから形成され、連接したフロントケース４とリアケース５とが折れ線部６を折り目として二つ折可能に構成されている。
【００３４】
フロントケース４とリアケース５の中央部には、外側に膨出する方向に、それぞれフロント収納部（膨出凹部）４ａとリア収納部（膨出凹部）５ａが設けられている。また、フロント収納部４ａとリア収納部５ａの外縁には、それぞれフロント外縁部（外縁部）４ｂとリア外縁部（外縁部）５ｂが形成され、外形が略同一の形状であって、二つ折りに折りたたんだときにお互いに輪郭が重ね合う。
【００３５】
フロント外縁部４ｂとリア外縁部５ｂの先端中央部には、略半円形状に突出する互いに重なるフロント突出部（突出部）４ｃとリア突出部（突出部）５ｃが形成されている。この略半円形状の略中央にはそれぞれフロント貫通穴（貫通穴）４ｄとリア貫通穴（貫通穴）５ｄが同芯同径に形成されていて、ブリスタケース２を折りたたんだときには互いに貫通する。
【００３６】
図１および図２に示すように、操作ボタン１０３に対応するフロント収納部４ａの部分には、略長方形状に膨出した操作ボタン収納部４ｅが形成されている。この操作ボタン収納部４ｅに操作ボタン１０３が収納されることにより、操作ボタン１０３を操作ボタン収納部４ｅを介して外側から押圧操作可能となる。すなわち、外側から操作ボタン収納部４ｅを押圧すると、操作ボタン収納部４ｅが変形し、内側の操作ボタン１０３が押圧される。
【００３７】
図１および図３（ｂ）に示すように、リアケース５のリア外縁部５ｂには、リア外縁部５ｂの全周の縁端から所定間隔内側の位置に沿って、内面側に開口した無端状のパッキン溝５ｅが設けられている。このパッキン溝５ｅの中に、Ｏリングからなる無端状の防水用のパッキン５ｆが接着剤により取り付けられている。なお、このパッキン５ｆの防水機能に関する説明は後述する。
【００３８】
図１および図３（ｃ）に示すように、リア収納部５ａの左側の上部であって撮影カメラ用レンズ１０５に対応する部分はレンズカバー面５ｇが構成され、その周囲に環状の膨出部であるレンズカバー面ガード５ｈが設けられている。レンズカバー面５ｇ等の保護機能等に関する説明は後述する。
【００３９】
折れ線部６の中央には、長四角の抜き穴６ａが設けられ、抜き穴６ａの上下にはミシン目６ｂが折り曲げ線に沿って設けられている。抜き穴６ａとミシン目６ｂによって折り曲げやすくなっているため、折れ線部６は所定位置で確実に折り曲げが可能となる。
【００４０】
次に、保持フレーム３について説明する。図１に示すように、保持フレーム３は上部フレーム７、下部フレーム８、及びヒンジ９を備えている。上部フレーム７と下部フレーム８はポリカーボ樹脂等の硬質樹脂で形成されている。また、本実施形態では、上部フレーム７と下部フレーム８は略上下対称の構造をしている。
【００４１】
図１および図３（ｂ）に示すように、上部フレーム７と下部フレーム８は略Ｕの字状の断面形状をなしていて、内面には、連続した上部フレーム保持溝（保持溝）７ａ、下部フレーム保持溝（保持溝）８ａが設けられている。保持フレーム３を閉じた状態では、上部フレーム保持溝７ａと下部フレーム保持溝８ａとは、保持フレーム３の内面において連続した無端の溝を構成する。
【００４２】
図１に示すように、上部フレーム７と下部フレーム８はヒンジ９により互いに回動自在に構成され、その先端の開口端には上部フレームロック（ロック部）７ｂ、下部フレームロック８ｂ（ロック部）が互いに係合可能に設けられている。
【００４３】
図１に示すように、上部フレームロック７ｂと下部フレームロック８ｂの右方向に、上部フレーム突出部７ｃと下部フレーム突出部８ｃが突出している。上部フレーム突出部７ｃと下部フレーム突出部８ｃの内側中央には上部フレーム貫通穴７ｄと下部フレーム貫通穴８ｄが設けられている。
【００４４】
防水ケース１に携帯端末１００をどのように収容するかについて、図１、図２および図３を用いて、説明する。
まず、図１に示す携帯端末１００のリアの部分をブリスタケース２のリア収納部５ａに収納し、フロントケース４を折れ線部６を中心に二つ折りして回動させると、携帯端末１００のフロントの部分がフロント収納部４ａに収納される。ここで、フロント外縁部４ｂとリア外縁部５ｂは、パッキン５ｆを介して互いに重なり合っている。
【００４５】
次に、保持フレーム３の上部フレーム７と下部フレーム８の開口端を互いに開く方向に回動させ、まず上部フレーム７にブリスタケース２の上部を収納する。図３（ｂ）に示すように、上部フレーム保持溝７ａには傾斜部７ｅを有しているので、フロント外縁部４ｂとリア外縁部５ｂは互いに挟んでいるパッキン５ｆを押し潰しながら、上部フレーム保持溝７ａにスムーズに収納される。
【００４６】
図２に示すように、この状態で下部フレーム８を閉じる方向に回動させると、同様にフロント外縁部４ｂとリア外縁部５ｂが下部フレーム保持溝８ａに収納され、上部フレームロック７ｂと下部フレームロック８ｂとが互いに係合しロックする。
ロックした状態では、フロント外縁部４ｂとリア外縁部５ｂのそれぞれの全周の内面には押し潰されたパッキン５ｆが密着しているので水密構造が形成され、収納された携帯端末１００を水等から保護している。
【００４７】
図２に示すように、ブリスタケース２の互いに重なるフロント突出部４ｃとリア突出部５ｃは、上部フレーム突出部７ｃによりリア側が覆われる。次に、図３（ａ）に示すように、下部フレーム突出部８ｃにより、フロント側が覆われる。このとき、下部フレーム貫通穴８ｄ、フロント貫通穴４ｄ、リア貫通穴５ｄと上部フレーム貫通穴７ｄは同芯同径で互いに貫通する位置関係にある。
【００４８】
図３（ａ）に示すように、タッチパネル式モニタ１０２に対応する平面形状のフロント収納部４ａの部分（二点鎖線で囲まれた部分）はタッチパネル操作面（操作面）４ｆを構成する。図３（ｂ）に示すように、タッチパネル操作面４ｆを介してフロントケース４の外側から指先Ｆにより、タッチパネル式モニタ１０２のタッチ操作が可能となる。
【００４９】
以上のように構成することにより、本実施形態では、ブリスタケース２に透明プラスチックシートを用いることから、防水ケース１をきわめて薄く、コンパクトなものとすることが可能となる。図３（ｂ）に示すように、防水ケース１に収納された状態での携帯端末１００の厚さの増加はわずかなものであり、もともとの携帯端末１００の携帯性を損なうことがなく使用することができる。
【００５０】
また、図３（ｂ）に示すように、ブリスタケース２を介して、保持フレーム３は間接的に携帯端末１００を保持していることになるので、防水ケース１は高い耐衝撃性を得ている。ここで、衝撃は防水ケース１の外縁にある保持フレーム３にかかりやすい。保持フレーム３に衝撃がかかった場合でも、ブリスタケース２は適度な剛性と柔軟性を有しているので、衝撃はブリスタケース２で緩和され、携帯端末１００は衝撃から保護される。
【００５１】
すなわち、図３（ｂ）に示すように、携帯端末１００の側面１０１ｃに対向する保持フレーム３の内側の部分と、ブリスタケース２に収納された携帯端末１００の側面１０１ｃとは、ブリスタケース２のプラスチックシートの厚さ分を超えて離間しており隙間を有している。携帯端末１００とブリスタケース２とを繋ぐこの隙間の部分にあるブリスタケース２によって、携帯端末１００は保持フレーム３の内側の空間に離間して保持されている。このような構成により、保持フレーム３に衝撃がかかったときには、ブリスタケース２が緩衝材の役目をして衝撃を吸収し、収納する携帯端末１００を保護している。
【００５２】
また、ブリスタケース２と保持フレーム３とを組み合わせて防水ケース１を構成したことから、高い防水性を得ることが可能となる。すなわち、図３（ｂ）に示すように、フロント外縁部４ｂとリア外縁部５ｂとその間の押し潰されたパッキン５ｆにより、簡単な構成で確実な水密構造が形成される。ここで、パッキン５ｆはＯリングに限らず、板状の弾性体を打ち抜いた形のものでも良く、複数設けても良い。
【００５３】
ところで、アウトドア等での使用の際、防水ケース１に入れた携帯端末１００に誤って衝撃等を与えたりすると、保持フレーム３のロックが外れ、開いてブリスタケース２から携帯端末１００が飛び出してしまう可能性がある。そこで、本実施形態では、上部フレームロック７ｂ、下部フレームロック８ｂの近傍であって、開口端の両端それぞれの近傍に、上部フレーム貫通穴７ｄと下部フレーム貫通穴８ｄを設けている。
【００５４】
すなわち、図４（ｃ）に示すように、相互に貫通する上部フレーム貫通穴７ｄと下部フレーム貫通穴８ｄとに、例えば首から提げた紐Ｓに付けた吊り下げホルダＨや、または紐Ｓを直接通すことができる。このようにすれば、吊り下げホルダＨ等により保持フレーム３が開くことを防止可能となり、携帯端末１００が防水ケース１から飛び出すことを防ぐので、より安心してアウトドア等で携帯端末１００を使用することができる。
【００５５】
また、前述したように、上部フレーム貫通穴７ｄと下部フレーム貫通穴８ｄとは、ブリスタケース２のフロント貫通穴４ｄとリア貫通穴５ｄとも貫通しているので、吊り下げホルダＨ等によりブリスタケース２も直接保持され、吊り下げる強度を更に上げることができる。
【００５６】
また、ブリスタケース２は、商品の梱包や展示に用いられるいわゆるブリスタパックと同様の工程で製造が可能である。例えば、プラスチックシートをバキュームフォーム等の従来からある製造装置を用いて成型し、大量に安価に製造することができる。
【００５７】
また、いわゆるブリスタパックは中身の商品を見せたい場合に用いられるものであるので、タッチパネル式モニタ１０２の画面の視認性は良好なものとなる。ここで、ブリスタケース２を構成する透明プラスチックシートの表面に、さまざまなコーティングやラミネート等を施しても良い。例えば、傷付き防止用のいわゆるハードコートや、反射光を抑えるためのノングレアやアンチグレアのコーティング、指紋を付きにくくする防指紋のコーティング、強度向上等のためのラミネート等を施しても良いことは勿論である。
【００５８】
また、図３（ｃ）に示すように、リアケース５にはレンズカバー面５ｇが設けられているが、透明プラスチックシートの視認性が良好なので、レンズカバー面５ｇをリアケース５と一体に形成することができる。ここで、防水ケース１を載置等したときにレンズカバー面５ｇの部分が擦れて傷つき、視認性が悪くならないよう、レンズカバー面５ｇの周囲にレンズカバー面ガード５ｈを設けている。なお、リアケース５の載置面の例えば四隅に脚等を設けてもよいし、また、フロントケース４のタッチパネル操作面４ｆの周囲を膨出させ、ガードを形成するようにしてもよい。
【００５９】
また、ブリスタケース２の材質にはＰＥＴ樹脂を用いたが、これに限定されず、硬質塩化ビニール樹脂や植物由来プラスチック等を用いることもできる。
【００６０】
また、ブリスタケース２を構成する透明プラスチックシートの厚さは０．１５〜０．５ｍｍであることが好ましく、より好ましい厚さは０．２〜０．４ｍｍとなる。厚くなれば感度が悪くなり、静電容量式のタッチパネル式モニタ１０２のタッチ操作がやりにくくなるし、薄くなれば、強度が下がり携帯端末１００を保持することが不安定となるからである。
【００６１】
また、本実施形態では、ブリスタケース２はフロントケース４とリアケース５とを連接し、折れ線部６で二つ折可能とすることにより、携帯端末１００を防水ケース１にスムーズに収納することができる。ここで、フロントケース４とリアケース５とを連接せず、別々の２つの部分に分ける構成としても良い。また、例えば互いに嵌合する凹凸の段差を付けたり、ボス等を設ければ、位置決めガイドとなり、よりスムーズに収納することができる。
【００６２】
また、フロントケース４とリアケース５とには、それぞれ膨出部を設けフロント収納部４ａとリア収納部５ａを構成したが、一方のケースのみに膨出部を設けて携帯端末１００を収納するようにしても良い。ここで、それぞれのケースに膨出部を設けたほうが、平面であるときよりも強度が上がるというメリットはある。
【００６３】
また、水密構造において、リア外縁部５ｂのパッキン溝５ｅを更に深くして、保持フレーム３により挟まれたとき、フロント外縁部４ｂとリア外縁部５ｂが密着するようにしても良い。また、パッキン溝５ｅを設けなくてもよいが、パッキン溝５ｅがあるとパッキン５ｆを所定位置に位置決め可能となり、糊付け等のときの取り付けがやり易くなる。
【００６４】
また、例えばフロント外縁部４ｂとリア外縁部５ｂ内面の一方の面に無端状の連続した土手状の凸部を設け、他方の面にこの凸部と嵌合する無端状の連続した溝状の凹部を設けて、両者を嵌め合わせて防水構造としてもよい。この場合、パッキン５ｆの取り付けを不要とすることも可能となり、より簡単な構成とすることができる。
【００６５】
また、本実施形態では、保持フレーム３の材質にポリカーボ樹脂を用いて、高い強度を得ている。しかし、これに限定されず、例えばＡＢＳ（アクリルニトル・ブタジエン・スチレン）樹脂やポリプロピレン樹脂等の硬質樹脂を用いても良い。
【００６６】
また、ヒンジ９を保持フレーム３の上下方向の中央に設けることにより、図２に示すように、ブリスタケース２の上部と下部とを順番に装着することが可能となっている。しかし、これに限定されず、ヒンジ９を、例えば保持フレーム３のコーナー部に設けても良いし、複数の部分に設けても良い。
【００６７】
また、保持フレーム３の材質にエラストマ等の可撓性のあるものを用いてもよい。この場合、保持フレーム３そのものが撓むので、ヒンジ９を不要とすることもできる。また、保持フレーム３に弾性があるので、フロント外縁部４ｂとリア外縁部５ｂをより強く密着することにより、より防水性を高めることができる。また、耐衝撃性も向上する。
【００６８】
次に、図４を用いて、スタンド２００について説明する。スタンド２００は防水ケース１に関連して使用するアクセサリパーツである。
【００６９】
図４（ａ）に示すように、スタンド２００は硬質プラスチック樹脂により形成され、長円の円筒を軸心方向で二分したような断面が略Ｕ字形状をした形状をしている。スタンド２００の湾曲面部には、長手方向に垂直な面に対し傾斜している幅の異なるスタンド溝２０１、２０２を備えている。
【００７０】
図４（ｂ）に示すように、携帯端末１００を防水ケース１に装着した状態で、横長にして保持フレーム３の下部中央を幅の狭い方のスタンド溝２０１に差し込めば、自立させることができる。例えば、風呂場でテレビやビデオ等を視聴しようとするとき、濡れたタイルの上等に立てかけると滑って倒れてしまうことがあるが、スタンド２００を使用することにより、確実な載置が可能となる。
【００７１】
幅の広い他のスタンド溝２０２は、防水ケース１を使用せずに携帯端末１００を直接差し込んで、自立させるためのものである。すなわち、携帯端末１００を防水ケース１に装着しない状態においても、携帯端末１００をそのまま直接スタンド溝２０２に取り付け、所定の見易い角度で自立させることができる。
【００７２】
図４（ｃ）に示すように、スタンド２００の略Ｕ字形状の内側は溝状となっていて、保持フレーム３の外側の部分に嵌合するよう構成されているので、スタンド２００を保持フレーム３に被せ嵌めることができる。なお、スタンド２００と保持フレーム３とに、相互に嵌合する凹凸等を設け、保持フレーム３の所定位置に、より強固にスタンド２００を取り付け可能としてもよい。
【００７３】
以上のようにスタンド２００を構成することにより、スタンド２００を防水ケース１と一体にして持ち歩くことが可能となり、紛失しにくく、いつでもどこでも使用したいときに使用することができる。また、スタンド溝２０１とスタンド溝２０２のように、機器装着用の溝を複数設けることにより、異なる幅のものにも対応が可能となる。すなわち、携帯端末１００を防水ケース１に装着した状態と装着しない状態とでは外縁の厚さが異なることになるが、そのどちらの状態でもスタンドとして使用することが可能となる。
【００７４】
なお、本発明の防水ケースは、前述しかつ図面に示した実施の形態に限定されるものではなく、その要旨を逸脱しない範囲内で種々の変形実施が可能である。例えば、上述した実施の形態においては、電子機器として携帯端末（スマートフォン）に適用した例について説明しているが、これに限定されず、携帯電話、携帯情報端末、デジタルカメラ、携帯ゲーム機、タブレット端末その他の電子機器に適用できるものである。
【符号の説明】
【００７５】
Ｆ  指先
Ｓ  紐
Ｈ  吊り下げホルダ
１  防水ケース
２  ブリスタケース
３  保持フレーム
４  フロントケース
４ａ  フロント収納部
４ｂ  フロント外縁部
４ｃ  フロント突出部
４ｄ  フロント貫通穴
４ｅ  操作ボタン収納部
５  リアケース
５ａ  リア収納部
５ｂ  リア外縁部
５ｃ  リア突出部
５ｄ  リア貫通穴
５ｅ  パッキン溝
５ｆ  パッキン（Ｏリング）
５ｇ  レンズカバー面
５ｈ  レンズカバー面ガード
６  折れ線部
６ａ  抜き穴
６ｂ  ミシン目
７  上部フレーム
７ａ  上部フレーム保持溝
７ｂ  上部フレームロック
７ｃ  上部フレーム突出部
７ｄ  上部フレーム貫通穴
８  下部フレーム
８ａ  下部フレーム保持溝
８ｂ  下部フレームロック
８ｃ  下部フレーム突出部
８ｄ  下部フレーム貫通穴
９  ヒンジ
１００  携帯端末
１０１  ケース
１０２  タッチパネル式モニタ
１０３  操作ボタン
１０４  スピーカ
１０５  撮影カメラ用レンズ
２００  スタンド
２０１、２０２  スタンド溝
【図１】
2013156336.tif 000003
【図２】
2013156336.tif 000004
【図３】
2013156336.tif 000005
【図４】
2013156336.tif 000006